(57)【要約】【課題】簡易かつ安価な構成で顔面に均一に光を照射することができ、かつ、壁への埋め込み工事が不要で、簡単に壁面に設置することができる照明付収納体、並びに、これを備えたミラーキャビネットおよび洗面化粧台を提供する。【解決手段】センターミラー１０の両側に照明付収納体２０ａ、２０ｂを取り付け、閉状態においてセンターミラー１０に向かって斜めとなるよう開閉扉２１ａ、２１ｂを取り付け、この開閉扉２１ａ、２１ｂと壁面の間に収納部２３ａ、２３ｂを配設し、この開閉扉２１ａ、２１ｂの端縁に沿って外部に照明光を照射する照明装置２２ａ、２２ｂを配置する。【選択図】        図１
2006122288.tif 000002
【特許請求の範囲】
【請求項１】
壁面に配置したミラーと併用する照明付収納体であって、
前記ミラーの側部に並設され、閉状態において前記ミラーの鏡面に向かって斜めに取り付けられた開閉扉と、
前記開閉扉と前記壁面の間に配設された収納部と、
前記開閉扉の側端縁に沿って配置してあり前記収納部の外部に照明光を照射する照明装置と、
を備えたことを特徴とする照明付収納体。
【請求項２】
前記開閉扉の表面が鏡面であることを特徴とする請求項１に記載の照明付収納体。
【請求項３】
前記照明装置は、照明灯と、前記照明灯を保護するための透光性の照明カバーとを有し、
前記照明カバーが、閉状態の開閉扉と略同一面状になるよう形成されてなることを特徴とする請求項１または２に記載の照明付収納体。
【請求項４】
前記照明灯は、蛍光灯であることを特徴とする請求項３に記載の照明付収納体。
【請求項５】
壁面に設置されるミラーの両側に請求項１〜４のいずれか一項に記載の照明付収納体を配置してなるミラーキャビネット。
【請求項６】
請求項１〜４のいずれか一項に記載の照明付収納体を備えた洗面化粧台。
【発明の詳細な説明】
【技術分野】
【０００１】
本発明は、洗面化粧スペース等で使用される照明付収納体、並びに、これを備えたミラーキャビネットおよび洗面化粧台に関するものである。
【背景技術】
【０００２】
洗面化粧台で化粧をする習慣を有する女性は多く、鏡の裏側に化粧品の収納部を設けたり、照明を設けた様々なタイプの洗面化粧台が提案されている（特許文献１等）。
【０００３】
多くの家庭用洗面化粧台では、照明を、天井に取り付けられるダウンライトや、鏡上部に取り付けられたブラケット照明に頼っているのが実情である。しかしながら、このような上方から顔を照らすタイプの照明は、顔に陰影ができてしまい、光角度および照度が多くの女性の要求を満たすレベルに達していないという問題があった。化粧を行う場合、顔に陰影ができると、メイクが必要以上に濃くなったり、メイクの正確な色味を把握することができないといった問題が生じるため、斜め前方から均等に顔面に光を照射することが可能な照明を用いることが理想的である。
【０００４】
本格的に化粧を行う場合の合理的な照明形式として、芸能・化粧業界では、鏡の廻りに多数の電球照明を並べた、いわゆる「ハリウッドランプ」が広く採用されている。ハリウッドランプは、顔面に均一に光を照射することが可能であるが、鏡面から電球が露出しているため、使用時に誤って高温の電球に触れてしまったり、電球を破損したりといった安全面での問題があった。また、多数の電球を使用するため電力消費量が大きく、また、電球寿命が短いため頻繁に電球を交換しなくてはならないため、一般家庭用としては普及していない。
【０００５】
これに対し、特許文献２は、蛍光灯を用いた比較的安価な構成で、顔面に均一に光を照射する方式として、サイドミラーとセンターミラーの間に照明灯を縦長に配置した三面鏡タイプのミラーキャビネットを開示している（図７参照）。
【０００６】
【特許文献１】特開２００３−４５５号公報
【特許文献２】特開平７−８３４２号公報
【発明の開示】
【発明が解決しようとする課題】
【０００７】
しかし、特許文献２は、サイドミラーおよびセンターミラーの裏側に箱状の収納部を設けているため、収納部の奥行き分だけサイドミラーおよびセンターミラーが正面に張り出して体に近づくことになる。このため、狭いスペースに設置する場合、鏡面が体に近づいて圧迫感を与える場合があった。圧迫感を軽減するため、収納部を壁へ埋め込んで使用することも可能であるが、この場合、収納部を埋め込むための壁厚みが必要となり、また、埋め込み工事も必要である。
【０００８】
本発明は、上記に鑑みてなされたものであり、簡易かつ安価な構成で顔面に均一に光を照射することができ、かつ、壁への埋め込み工事が不要で、簡単に壁面に設置することができる照明付収納体、並びに、これを備えたミラーキャビネットおよび洗面化粧台を提供することを目的とする。
【課題を解決するための手段】
【０００９】
上述した課題を解決し、目的を達成するために、本発明の請求項１に係る照明付収納体は、壁面に配置したミラーと併用する照明付収納体であって、前記ミラーの側部に並設され、閉状態において前記ミラーの鏡面に向かって斜めに取り付けられた開閉扉と、前記開閉扉と前記壁面の間に配設された収納部と、前記開閉扉の側端縁に沿って配置してあり前記収納部の外部に照明光を照射する照明装置と、を備えたことを特徴とする。
【００１０】
また、本発明の請求項２にかかる照明付収納体は、前記開閉扉の表面が鏡面であることを特徴とする。
【００１１】
また、本発明の請求項３にかかる照明付収納体は、照明灯と、前記照明灯を保護するための透光性の照明カバーを有し、前記照明カバーが、閉状態の開閉扉と略同一面状になるよう形成されてなることを特徴とする。
【００１２】
また、本発明の請求項４にかかる照明付収納体は、前記照明灯が、蛍光灯であることを特徴とする。
【００１３】
また、本発明の請求項５にかかるミラーキャビネットは、壁面に設置されるミラーの両側に請求項１〜４のいずれか一項に記載の照明付収納体を配置してなることを特徴とする。
【００１４】
また、本発明の請求項６にかかる洗面化粧台は、請求項１〜４のいずれか一項に記載の照明付収納体を備えることを特徴とする。
【発明の効果】
【００１５】
本発明の請求項１にかかる照明付収納体は、開閉扉の側端縁に沿って照明装置を配置するため、当該照明付収納体を壁面に設置されるミラーの横に取り付けることによって、斜め前方から均等に顔面に光を照射することができ、簡易な構成によって化粧に適した照明を作り出すことができる。また、前記ミラーの鏡面に向かって斜めに取り付けられた開閉扉の背面に形成されるコーナー空間を収納部として有効利用するため、使用者に圧迫感を与えることなく奥行きのある収納部を確保することができる。また、設置の際、壁への埋め込み工程も不要である。
【００１６】
また、本発明の請求項２にかかる照明付収納体は、開閉扉の表面を鏡面とすることにより、当該照明付収納体を壁面に設置されるミラーの横に取り付けることによって、二面鏡や三面鏡としての利用が可能となる。
【００１７】
また、本発明の請求項３にかかる照明付収納体は、照明カバーを、閉状態の開閉扉と略同一面状になるよう形成することによって、照明装置を照明付収納体と一体化するため、照明装置を設置するための特別なスペースを設ける必要がない。
【００１８】
また、本発明の請求項４にかかる照明付収納体は、照明灯として蛍光灯を利用することにより、少ない消費電力で十分な照度を確保することができる。また、蛍光灯は、経済的で長寿命であり、交換時も容易に入手が可能である。
【００１９】
また、本発明の請求項５にかかるミラーキャビネットは、壁面に設置されるミラーの両側に本発明の照明付収納体を備えているため、斜め前方から均等に顔面に光を照射することができ、また、使用者に圧迫感を与えることなく奥行きのある収納部を確保することができる。
【００２０】
また、本発明の請求項６にかかる洗面化粧台は、本発明の照明付収納体を備えているため、斜め前方から均等に顔面に光を照射することができ、使用者に圧迫感を与えることなく奥行きのある収納部を確保することができる。
【発明を実施するための最良の形態】
【００２１】
以下に、本発明の実施例を図面に基づいて詳細に説明する。なお、この実施例によりこの発明が限定されるものではない。
【００２２】
図１は、本発明にかかる洗面化粧台の斜視図である。本発明にかかる洗面化粧台１は、壁面に沿って設置されるセンターミラー１０、および、前記センターミラー１０の左右に取り付けられた照明付収納体２０ａ、２０ｂから構成されるミラーキャビネットと、当該ミラーキャビネットの下方に設けられた洗面台４０とからなる。
【００２３】
本実施の形態において、照明付収納体２０ａ、２０ｂは、三角形の横断面を有する縦長の収納体である。照明付収納体２０ａ、２０ｂには、開閉扉２１ａ、２１ｂが、閉状態においてセンターミラー１０の鏡面に向かって斜めに取り付けられており、この開閉扉２１ａ、２１ｂの内側の端縁に沿って照明装置２２ａ、２２ｂが配置されている。図１において、左側に配置された照明付収納体２０ａは開閉扉２１ａが閉じた状態、右側に配置された照明付収納体２０ｂは開閉扉２１ｂが開いた状態を示している。
【００２４】
この開閉扉２１ａ、２１ｂは、表面が鏡面となっており、サイドミラーとして、センターミラー１０とともに、三面鏡を構成している。また、照明装置２２ａ、２２ｂがセンターミラー１０とサイドミラー（開閉扉２１ａ、２１ｂ）との間に配置されるので、斜め前方から顔面に均一に光を照射することができる。
【００２５】
図２は、本発明にかかる洗面化粧台の横断面図である。開閉扉２１ａ、２１ｂの裏面には、化粧品、薬剤、歯ブラシ、タオル等の小物を収納することができる収納部２３ａ、２３ｂが設けられている。この収納部２３ａ、２３ｂは、開閉扉２１ａ、２１ｂの外側の端縁から壁面５０に向かって延びる側面板と壁面５０とによって形成されるコーナー空間を、利用するものである。収納部２３ａ、２３ｂの内部には複数の棚が設けられており、小物を区分けして整理することができる。
【００２６】
開閉扉２１ａ、２１ｂは、内側の端縁の軸支部で回動可能に収納部２３ａ、２３ｂに軸支されている。開閉扉２１ａ、２１ｂをそれぞれ内方へ回転させることにより、収納部２３ａ、２３ｂに収納されている小物を取り出すことができる。また、開閉扉２１ａ、２１ｂを内方へ回転させて、手前に近づけることによって、手元鏡として使用することも出来る。
【００２７】
開閉扉２１ａ、２１ｂの内側の端縁に沿って設けられる照明装置２２ａ、２２ｂは、内部に蛍光灯２２１ａ、２２１ｂを内蔵している。
【００２８】
照明装置２２ａ、２２ｂは、蛍光灯２２１ａ、２２１ｂを保護するための透光性の照明カバー２２２ａ、２２２ｂを備えており、この照明カバー２２２ａ、２２２ｂは、閉状態の開閉扉と略同一面状になるよう形成されている。蛍光灯２２１ａ、２２１ｂは、この照明カバー２２２ａ、２２２ｂと壁面によって形成されるコーナー空間に配設される。これによって、照明装置２２ａ、２２ｂが照明付収納体２０ａ、２０ｂの鏡面に埋め込んだ一体化構造となり、照明装置が鏡面から突出しないため、使用者に圧迫感を与えない形状となっている。
【００２９】
このように、本発明によれば、センターミラー１０に対して斜めに取り付けられる開閉扉２１ａ、２１ｂの背面に形成されるコーナー空間を、収納部として有効利用するため、使用者に圧迫感を与えることなく奥行きのある収納空間を確保することができる。また、設置の際、壁への埋め込み工程も不要である。また、開閉扉２１ａ、２１ｂを鏡面となっているため、センターミラーと併せて三面鏡として利用することができる。
【００３０】
また、開閉扉２１ａ、２１ｂの側端縁に沿って照明装置を設けるため、ハリウッドランプと同様に、斜め前方から顔面に均一に光を照射することができる。また、照明カバー２２２ａ、２２２ｂを、閉状態の開閉扉と略同一面状になるよう形成し、照明装置２２ａ、２２ｂを照明付収納体２０ａ、２０ｂの鏡面に埋め込んでいるため、照明装置を設置するための特別なスペースを設ける必要がない。
【００３１】
なお、本実施の形態では、開閉扉２１ａ、２１ｂの内側の端縁に沿って照明装置２２ａ、２２ｂを配置したが、開閉扉の外側の端縁に沿って照明装置を配置する構成、あるいは、開閉扉の両側に照明装置を配置する構成としてもよい。
【００３２】
また、本実施の形態では、センターミラー１０の両側に照明付収納体を配置したが、センターミラーの片側のみに照明付収納体を配置する構成としてもよい。この場合は、センターミラーと鏡扉（開閉扉）を二面鏡として利用することができる。
【産業上の利用可能性】
【００３３】
以上のように、本発明にかかる照明付収納体は、簡易かつ安価な構成で顔面に均一に光を照射することができ、かつ、壁への埋め込み工事が不要で、簡単に壁面に設置することができるため、洗面化粧スペース等で使用される照明付収納体として有用である。
【図面の簡単な説明】
【００３４】
【図１】本発明にかかる洗面化粧台の斜視図である。
【図２】本発明にかかる洗面化粧台の横断面図である。
【符号の説明】
【００３５】
１  洗面化粧台
１０  センターミラー
２０  照明付収納体
２１  開閉扉
２２  照明装置
２３  収納部
２２１  蛍光灯
２２２  照明カバー
４０  洗面台
５０  壁面
【図１】
2006122288.tif 000003
【図２】
2006122288.tif 000004